(57)【要約】【課題】窯業系基材の雪融け水等による窓枠や下屋根等の伝い水による凍害による耐久性試験評価をフィールドで簡単にできる窯業系基材の耐久性試験装置及びその耐久性試験方法を提供する。【解決手段】木質系や鉄骨系の柱１を立設して箱状の枠体からなる施工台２を形成し、この施工台２の柱面に試験用のセメント系の窯業系基材３を固着する。そして、この施工台２の上部に屋根下地板４が施工台２の上端より突出しないようにして屋根部５を形成し、この屋根部５の下端部に突出して複数個の山形状の集雪部６を固着し、且つ集雪部６の谷部７に隙間８を設けて流水部９を形成した小屋根１０を形成する。この小屋根１０を施工台２の上に固定して形成する。【選択図】        図１
2004170211.tif 000002
【特許請求の範囲】
【請求項１】
柱を立設して箱状の枠体からなる施工台を形成し、該施工台の柱面に試験用の窯業系基材を固着するとともに該施工台の上部に屋根下地板が施工台上端より突出しないようにして屋根部を形成し、該屋根部の下端部に突出して複数個の山形状の集雪部を固着し、且つ集雪部の谷部に隙間を設けて流水部を形成した小屋根を設けることを特徴とする窯業系基材の耐久性試験装置。
【請求項２】
上記屋根部の下端部に突出して形成された小屋根が、複数個の山形状の集雪部の高さが略１００ｍｍ、谷部に設けられた流水部の隙間が略２０ｍｍであることを特徴とする請求項１記載の窯業系基材の耐久性試験装置。
【請求項３】
上記箱状の施工台上に設けられる屋根部の屋根面が、２乃至４面形成することを特徴とする請求項１又は請求項２記載の窯業系基材の耐久性試験装置。
【請求項４】
上記施工台上に固着される試験用の窯業系基材が、横張りの外壁材であって、横目地の略中央部に小屋根の流水部が位置するように配設することを特徴とする請求項１乃至請求項３のいずれか１項に記載された窯業系基材の耐久性試験装置。
【請求項５】
柱を立設して箱状の枠体からなる施工台を形成し、該施工台の柱面に試験用の窯業系基材を固着するとともに該施工台の上部に屋根下地板が施工台上端より突出しないようにして屋根部を形成し、該屋根部の下端部に突出して複数個の山形状の集雪部を固着し、且つ集雪部の谷部に隙間を設けて流水部を形成した小屋根を形成し、集雪部に積雪された雪が、自然融解して流水部に流出し、窯業系基材表面の目地部に流下することを特徴とする窯業系基材の耐久性試験方法。
【発明の詳細な説明】
【０００１】
【発明の属する技術分野】
本発明は、外壁材や屋根材等のセメント系建築材料として用いられる窯業系基材の耐久性試験装置及びその耐久性試験方法に関するものである。
【０００２】
【従来の技術】
従来から結露サイクル試験器があり、試験品の外部及び内部に安定して結露を発生させ、その結露サイクル試験を行うものがある。
（例えば、特許文献１参照）
【０００３】
さらに、無機質板の耐凍害性試験方法は、無機質板に凍害促進処理を施した後に耐凍害性の評価を行うものであって、凍害促進処理に先だって無機質板に温度及び湿度を高めた炭酸ガス雰囲気中に置くようにするものがある。
（例えば、特許文献２参照）
【０００４】
【特許文献１】
特開平５−１６４６８４号公報（第１−２頁、図１）
【０００５】
【特許文献２】
特開２００２−１５６３２４号公報（第１−２頁）
【０００６】
このような、結露サイクル試験器では、強制的に試験品の外部及び内部に安定して結露を発生させるようにしたものである。また、無機質板の耐凍害性試験方法は、凍害促進処理を施した後に耐凍害性の評価を行うもので促進試験をするタイプのものである。そこで、雪融け水等による窓枠や下屋根等の伝い水による窯業系基材への凍害状況を自然環境に近い状態での耐凍害性評価により見出すために、上記公知例のような強制的な環境を人為的に創るものではなく、雪国の自然環境の状態で凍結融解の繰り返しをフィールドで簡単にできる窯業系基材の耐久性試験装置及び耐久性試験方法を確立しなければならなかった。
【０００７】
【発明が解決しようとする課題】
本発明は上記問題点の解決を目的とするものであり、窯業系基材の雪融け水等による窓枠や下屋根等の伝い水による凍害による耐久性試験評価をフィールドで簡単にできる窯業系基材の耐久性試験装置及びその耐久性試験方法を提供するものである。
【０００８】
【課題を解決するための手段】
本発明の請求項１記載の窯業系基材の耐久性試験装置は、柱を立設して箱状の枠体からなる施工台を形成し、該施工台の柱面に試験用の窯業系基材を固着するとともに該施工台の上部に屋根下地板が施工台上端より突出しないようにして屋根部を形成し、該屋根部の下端部に突出して複数個の山形状の集雪部を固着し、且つ集雪部の谷部に隙間を設けて流水部を形成した小屋根を設けることを特徴とするものである。
【０００９】
したがって、窯業系基材の雪融け水等による窓枠や下屋根等の伝い水による凍害による耐久性試験評価を簡単な試験装置でフィールドでできるものである。
【００１０】
本発明の請求項２記載の窯業系基材の耐久性試験装置は、請求項１記載の屋根部の下端部に突出して形成された小屋根が、複数個の山形状の集雪部の高さが略１００ｍｍ、谷部に設けられた流水部の隙間が略２０ｍｍであることを特徴とするものである。
【００１１】
したがって、雪融水が流水部の隙間から確実に排水され窯業系基材の表面に伝っていくようになり、目地部で雪融水が滞留し、日中や夜間の温度差で凍結融解を繰り返すことができる。
【００１２】
本発明の請求項３記載の窯業系基材の耐久性試験装置は、請求項１又は請求項２記載の箱状の施工台上に設けられる屋根部の屋根面が、２乃至４面形成することを特徴とするものである。
【００１３】
したがって、施工台上に設けられる屋根部の屋根面が、２乃至４面形成されているので、同時に多数の耐久性試験を行うことができる。
【００１４】
本発明の請求項４記載の窯業系基材の耐久性試験装置は、請求項１乃至請求項３のいずれか１項に記載された施工台上に固着される試験用の窯業系基材が、横張りの外壁材であって、横目地の略中央部に小屋根の流水部が位置するように配設することを特徴とするものである。
【００１５】
したがって、横目地の略中央部に小屋根の流水部が位置することで、横目地に雪融水が滞留し、凍結融解が促進して凍害の評価を行い易い。
【００１６】
本発明の請求項５記載の窯業系基材の耐久性試験方法は、柱を立設して箱状の枠体からなる施工台を形成し、該施工台の柱面に試験用の窯業系基材を固着するとともに該施工台の上部に屋根下地板が施工台上端より突出しないようにして屋根部を形成し、該屋根部の下端部に突出して複数個の山形状の集雪部を固着し、且つ集雪部の谷部に隙間を設けて流水部を形成した小屋根を形成し、集雪部に積雪された雪が、自然融解して流水部に流出し、窯業系基材表面の目地部に流下することを特徴とするものである。
【００１７】
したがって、集雪部の谷部の流水部から、自然融解した窯業系基材表面の目地部に流下し、窓枠や下屋根等の伝い水による凍害による耐久性試験評価をフィールドで簡単にできる窯業系基材の耐久性試験方法である。
【００１８】
【発明の実施の形態】
図１乃至図６に示したように、本発明の実施形態に係わる窯業系基材の耐久性試験装置及びその耐久性試験方法であって、以下に説明する。
【００１９】
本発明の窯業系基材の耐久性試験装置Ａは、木質系や鉄骨系の柱１を立設して箱状の枠体からなる施工台２を形成し、この施工台２の柱面に試験用のセメント系の窯業系基材３を固着する。そして、この施工台２の上部に屋根下地板４が施工台２の上端より突出しないようにして屋根部５を形成し、この屋根部５の下端部に突出して複数個の山形状の集雪部６を固着し、且つ集雪部６の谷部７に隙間８を設けて流水部９を形成した小屋根１０を形成する。この小屋根１０を施工台２の上に固定して形成する。このとき、屋根部５の下端部に突出して形成された小屋根１０が、複数個の山形状の集雪部６の高さが略１００ｍｍ、谷部７に設けられた流水部９の隙間８が略２０ｍｍとなるように形成したものである。
【００２０】
さらに、この箱状の施工台２の上に設けられる屋根部５の屋根面が、２乃至４面形成するようにしても良いものであって、同時に多数の耐久性試験を南北面や東西面の比較もできるようにしたものである。
【００２１】
さらに、施工台２上に固着される試験用の窯業系基材３が、横張りの外壁材１１であって、横目地１２の略中央部に小屋根１０の流水部９が位置することで、横目地１２に雪融水が滞留し、凍結融解が促進して凍害の評価が行い易い。
【００２２】
このような耐久性試験装置Ａを用いた本発明の窯業系基材の耐久性試験方法は、柱１を立設して箱状の枠体からなる施工台２を形成し、この施工台２の柱面に試験用の窯業系基材３を固着するとともにこの施工台２の上部に屋根下地板４が施工台２の上端より突出しないようにして屋根部５を形成し、この屋根部５の下端部に突出して複数個の山形状の集雪部６を固着し、且つ集雪部６の谷部７に隙間８を設けて流水部９を形成した小屋根１１を形成し、集雪部６に積雪された雪が、自然融解して流水部９に流出し、窯業系基材３の表面の目地部１２に流下するようにしたものである。
【００２３】
したがって、集雪部６の谷部７の流水部９から、自然融解した窯業系基材３の表面の目地部１２に流下し、窓枠や下屋根等の伝い水による凍害による耐久性試験評価をフィールドで簡単にできる窯業系基材の耐久性試験方法である。
【００２４】
以下、本発明の一実施例に係わる窯業系基材の耐久性試験装置Ａ及び耐久性試験方法について、図１乃至図６に基づいて詳述する。
【００２５】
図１及び図２において、窯業系基材の耐久性試験装置Ａは、木質系や鉄骨系の柱１を立設して四角形状の箱状の枠体からなる施工台２を形成し、この施工台２の上部に屋根下地板４が施工台２の上端より突出しないようにして三角形状の屋根部５を形成し、この屋根部５の下端部に突出して複数個の金属製や木質系の板体で積雪時に雪が載積するように山形状の集雪部６を設け、且つ集雪部６の谷部７に隙間８が生じるように流水部９を形成した小屋根１０を設けたものである。この小屋根１０を施工台２の上に釘や金具で固定して形成する。
【００２６】
図３及び図４のように、この施工台２の柱面に試験用のセメント系の窯業系基材３を釘１３で固着する。このとき、屋根部５の下端部に突出して形成された小屋根１０が、複数個の山形状の集雪部６の高さが略１００ｍｍ、谷部７に設けられた流水部９の隙間８が略２０ｍｍとなるように屋根下地板４に釘やボルトナットで固着する。
【００２７】
図５は、鉄骨枠１４に木質系の複数本の縦胴縁１５を介してセメント系の外壁材１６を釘１３で固着した外壁パネル１６である。このように、予め外壁パネル１６として施工台２の柱面に固着するようにしても良い。
【００２８】
尚、図６に示したように、この箱状の施工台２の上に設けられる屋根部５の屋根面は、通常二面で三角形の切妻状に形成されているが、方形状の４面に形成するようにしても良い。この複数の屋根面に集雪部６の谷部７に隙間８が生じるように流水部９を形成した小屋根１０を形成して、多数の耐久性試験ができるようにすれば効率的である。
【００２９】
さらに、流水部９の隙間８は、１５ｍｍから２５ｍｍ位が適切である。１５ｍｍ未満であると窯業系基材３の表面の目地部１２に流下する際に、流速が速くなり、２５ｍｍを越えると流速が遅くなる。
【００３０】
このように、集雪部６の谷部７の流水部９から、自然融解した窯業系基材３の表面の目地部１２に流下し、窓枠や下屋根等の伝い水による凍害が促進され確実にフィールドによる耐久性試験評価を簡単にできる窯業系基材の耐久性試験方法である。
【００３１】
【発明の効果】
上述の如く、本発明の請求項１記載の窯業系基材の耐久性試験装置は、柱を立設して箱状の枠体からなる施工台を形成し、この施工台の柱面に試験用の窯業系基材を固着するとともにこの施工台の上部に屋根下地板が施工台上端より突出しないようにして屋根部を形成し、この屋根部の下端部に突出して複数個の山形状の集雪部を固着し、且つ集雪部の谷部に隙間を設けて流水部を形成した小屋根を設けているので、窯業系基材の雪融け水等による窓枠や下屋根等の伝い水による凍害による耐久性試験評価を簡単な試験装置を用いてフィールドでできるものである。
【００３２】
本発明の請求項２記載の窯業系基材の耐久性試験装置は、屋根部の下端部に突出して形成された小屋根が、複数個の山形状の集雪部の高さが略１００ｍｍ、谷部に設けられた流水部の隙間が略２０ｍｍであるから、雪融水が流水部の隙間から確実に排水され窯業系基材の表面に伝っていくようになり、目地部で雪融水が滞留し、日中や夜間の温度差で凍結融解が繰り返すことができる。
【００３３】
本発明の請求項３記載の窯業系基材の耐久性試験装置は、箱状の施工台上に設けられる屋根部の屋根面が、２乃至４面形成しているので、同時に多数の耐久性試験を行うことができ効率的である。
【００３４】
本発明の請求項４記載の窯業系基材の耐久性試験装置は、施工台上に固着される試験用の窯業系基材が、横張りの外壁材であって、横目地の略中央部に小屋根の流水部が位置するように配設しているので、横目地の略中央部に小屋根の流水部が位置することで、横目地に雪融水が滞留し、凍結融解が促進して凍害の評価を行い易い。
【図面の簡単な説明】
【図１】本発明の一実施例に係わる窯業系基材の耐久性試験装置を示す要部の正面図である。
【図２】本発明の一実施例に係わる図１の耐久性試験装置の側面図である。
【図３】本発明の一実施例に係わる耐久性試験装置で外壁材を固着した状態を示す斜視図である。
【図４】本発明の一実施例に係わる耐久性試験装置で積雪が融解する状態を示す側面図である。
【図５】本発明の評価用のパネルの横断面図である。
【図６】本発明の異なる実施例に係わる耐久性試験装置の斜視図である。
【符号の説明】
Ａ      耐久性試験装置
１      柱
２      施工台
３      窯業系基材
４      屋根下地板
５      屋根部
６      集雪部
７      谷部
８      隙間
９      流水部
１０    小屋根
１１    外壁材
１２    横目地
１３    釘
１４    鉄骨枠
１５    縦胴縁
１６    外壁パネル
【図１】
2004170211.tif 000003
【図２】
2004170211.tif 000004
【図３】
2004170211.tif 000005
【図４】
2004170211.tif 000006
【図５】
2004170211.tif 000007
【図６】
2004170211.tif 000008